【手続補正書】
【提出日】平成20年7月2日(2008.7.2)
【手続補正１】
【補正対象書類名】明細書
【補正対象項目名】特許請求の範囲
【補正方法】変更
【補正の内容】
【特許請求の範囲】
【請求項１】
オンラインの画質評価を有する画像形成デバイスであって、該デバイスは、
表面を有する光導電体と、
前記光導電体に隣接して動作し、該光導電体の表面に画像フレームを静電的に帯電させる帯電器と、
前記光導電体に隣接し、テスト画像を感光する感光デバイスであって、該テスト画像の静電画像は前記画像フレーム上に形成される、該感光デバイスと、
前記光導電体に隣接し、トナーを前記画像フレームに付着させるトーニングステーションであって、該トナーは電荷を有して該画像フレーム上の前記静電画像に付着する、該トーニングステーションと、
前記光導電体に隣接し、前記画像フレーム上のトナーの少なくとも１つの測定されたトナー濃度を決定する濃度測定デバイスであって、該少なくとも１つの測定されたトナー濃度は前記テスト画像に対応する少なくとも１つの目標のトナー濃度と比較される、該濃度測定デバイスと
を備えた前記画像形成デバイス。
【請求項２】
光導電体とオンライン濃度測定デバイスを有する画像形成デバイスの画質をオンラインで評価する方法であって、該方法は、
（ａ）  光導電体の表面を帯電するステップと、
（ｂ）  前記表面をテスト画像に感光するステップであって、静電画像が該表面上に形成され、該静電画像は該テスト画像に対応する、該ステップと、
（ｃ）  トナーを前記光導電体に付着させるステップであって、該トナーは前記表面上にトナー画像を形成し、該トナー画像は前記静電画像に対応する、該ステップと、
（ｄ）  オンライン濃度測定デバイスで前記光導電体の少なくとも１つの場所に関する、少なくとも１つの測定されたトナー濃度を決定するステップと、
（ｅ）  前記少なくとも１つの場所に関する前記少なくとも１つの測定されたトナー濃度と、該少なくとも１つの場所におけるテスト画像に関する目標のトナー濃度を比較するステップと
を含む前記方法。
【請求項３】
光導電体とオンライン濃度測定デバイスを有する画像形成デバイスの画質をオンラインで評価する方法であって、該方法は、
（ａ）  光導電体上の少なくとも１つの場所に関してオンラインの濃度測定デバイスで少なくとも１つの光導電体濃度を測定するステップと、
（ｂ）  前記光導電体の表面を帯電するステップと、
（ｃ）  前記表面をテスト画像に感光するステップであって、静電画像が該表面上に形成され、該静電画像はテスト画像に対応する、該ステップと、
（ｄ）  前記光導電体上にトナーを付着させるステップであって、前記トナーは帯電して前記表面上にトナー画像を形成し、該トナー画像は前記静電画像に対応する、該ステップと、
（ｅ）  前記光導電体上の少なくとも１つの場所について、前記オンラインの濃度測定デバイスで、光導電体とトナーを組み合わせた少なくとも１つの濃度を測定するステップと、
（ｆ）  少なくとも１つの測定されたトナー濃度を、前記少なくとも１つの光導電体濃度と、前記光導電体とトナーを組み合わせた少なくとも１つの濃度の差に基づいて決定するステップと、
（ｇ）  前記少なくとも１つの場所に関する前記少なくとも１つの測定されたトナー濃度と、該少なくとも１つの場所における前記テスト画像に関する目標のトナー濃度を比較するステップと
を含む前記方法。
【手続補正２】
【補正対象書類名】明細書
【補正対象項目名】００６７
【補正方法】変更
【補正の内容】
【００６７】
本発明はこの説明の中で例としてのみ記述し説明した。当業者であれば追加の利点も容易に思いつくであろうし、また本発明の真の精神および範囲から離れることなく多くの変更を行うこともできるだろう。たとえば、電圧の示度を使用して光導電体に伴う領域特有の問題を決定することもできる。電圧の示度を使用して、たとえば特定のステップ領域が表面または他の問題を有しているかどうかを決定することができる。オペレータは、測定されたトナー電圧の示度と他の電圧の示度の各々を確認することができる。追加の統計的な分析を提供して問題領域を識別することも可能である。したがって、本発明はこの説明の中の特定の詳細、代表的なデバイス、および示された例に限定されない。したがって、本発明の範囲は必要に応じてのみ、首記の請求項によって限定するべきである。本実施形態には、以下の態様が含まれることを付記しておく。
（１）オンラインの画質評価を有する画像形成デバイスであって、該デバイスは、表面を有する光導電体と、前記光導電体に隣接して動作し、該光導電体の表面に画像フレームを静電的に帯電させる帯電器と、前記光導電体に隣接し、テスト画像を感光する感光デバイスであって、該テスト画像の静電画像は前記画像フレーム上に形成される、該感光デバイスと、前記光導電体に隣接し、トナーを前記画像フレームに付着させるトーニングステーションであって、該トナーは電荷を有して該画像フレーム上の前記静電画像に付着する、該トーニングステーションと、前記光導電体に隣接し、前記画像フレーム上のトナーの少なくとも１つの測定されたトナー濃度を決定する濃度測定デバイスであって、該少なくとも１つの測定されたトナー濃度は前記テスト画像に対応する少なくとも１つの目標のトナー濃度と比較される、該濃度測定デバイスとを備えた前記画像形成デバイス。
（２）前記濃度測定デバイスは濃度に対応する電圧の示度を提供する濃度計である（１）に記載の画像形成デバイス。
（３）前記濃度計は透過濃度計（ｔｒａｎｓｍｉｓｓｉｏｎ ｄｅｎｓｉｔｏｍｅｔｅｒ）である（２）に記載の画像形成デバイス。
（４）前記濃度測定デバイスは、少なくとも１つの光導電体濃度を測定するように配置されて動作する第１の濃度計と、光導電体とトナーを組み合わせた少なくとも１つの濃度を測定するように配置されて動作する第２の濃度計とを備え、前記少なくとも１つの測定されたトナー濃度は前記少なくとも１つの光導電体濃度と前記光導電体とトナーを組み合わせた少なくとも１つの濃度の差である（１）に記載の画像形成デバイス。
（５）前記濃度測定デバイスは少なくとも１つの光導電体濃度と光導電体とトナーを組み合わせた少なくとも１つの濃度を測定し、前記少なくとも１つの測定されたトナー濃度は、前記少なくとも１つの光導電体濃度と前記光導電体とトナーを組み合わせた少なくとも１つの濃度の差である（１）に記載の画像形成デバイス。
（６）前記テスト画像は前記光導電体上の少なくとも１つのステップ領域に対応する少なくとも１つのステップを有するステップ表（ｓｔｅｐ ｔａｂｌｅ）であり、前記少なくとも１つの測定されたトナー濃度は前記少なくとも１つのステップ領域の濃度であり、前記少なくとも１つの目標のトナー濃度は、前記ステップタブレットの少なくとも１つのステップに対応する（１）に記載の画像形成デバイス。
（７）光導電体とオンライン濃度測定デバイスを有する画像形成デバイスの画質をオンラインで評価する方法であって、該方法は、（ａ）  光導電体の表面を帯電するステップと、（ｂ）  前記表面をテスト画像に感光するステップであって、静電画像が該表面上に形成され、該静電画像は該テスト画像に対応する、該ステップと、（ｃ）  トナーを前記光導電体に付着させるステップであって、該トナーは前記表面上にトナー画像を形成し、該トナー画像は前記静電画像に対応する、該ステップと、（ｄ）  オンライン濃度測定デバイスで前記光導電体の少なくとも１つの場所に関する、少なくとも１つの測定されたトナー濃度を決定するステップと、（ｅ）  前記少なくとも１つの場所に関する前記少なくとも１つの測定されたトナー濃度と、該少なくとも１つの場所におけるテスト画像に関する目標のトナー濃度を比較するステップとを含む前記方法。
（８）ステップ（ｄ）はさらに、少なくとも１つの測定されたトナー濃度を、少なくとも１つの光導電体濃度と、光導電体とトナーを組み合わせた少なくとも１つの濃度の差から決定することを含む（７）に記載の画像形成デバイスの画質をオンラインで評価する方法。
（９）前記テスト画像は前記光導電体上の少なくとも１つのステップ領域に対応する少なくとも１つのステップを有するステップタブレットであり、前記少なくとも１つの場所は前記少なくとも１つのステップ領域と同じである（７）に記載の画像形成デバイスの画質をオンラインで評価する方法。
（１０）前記少なくとも１つの測定されたトナー濃度は前記少なくとも１つの場所の多数の濃度測定の平均である（７）に記載の画像形成デバイスの画質をオンラインで評価する方法。
（１１）前記多数の濃度測定は５つの測定に等しい（１０）に記載の画像形成デバイスの画質をオンラインで評価する方法。
（１２）前記濃度測定デバイスは濃度に対応する電圧の示度を提供する濃度計である（７）に記載の画像形成デバイスの画質をオンラインで評価する方法。
（１３）光導電体とオンライン濃度測定デバイスを有する画像形成デバイスの画質をオンラインで評価する方法であって、該方法は、（ａ）  光導電体上の少なくとも１つの場所に関してオンラインの濃度測定デバイスで少なくとも１つの光導電体濃度を測定するステップと、（ｂ）  前記光導電体の表面を帯電するステップと、（ｃ）  前記表面をテスト画像に感光するステップであって、静電画像が該表面上に形成され、該静電画像はテスト画像に対応する、該ステップと、（ｄ）  前記光導電体上にトナーを付着させるステップであって、前記トナーは帯電して前記表面上にトナー画像を形成し、該トナー画像は前記静電画像に対応する、該ステップと、（ｅ）  前記光導電体上の少なくとも１つの場所について、前記オンラインの濃度測定デバイスで、光導電体とトナーを組み合わせた少なくとも１つの濃度を測定するステップと、（ｆ）  少なくとも１つの測定されたトナー濃度を、前記少なくとも１つの光導電体濃度と、前記光導電体とトナーを組み合わせた少なくとも１つの濃度の差に基づいて決定するステップと、（ｇ）  前記少なくとも１つの場所に関する前記少なくとも１つの測定されたトナー濃度と、該少なくとも１つの場所における前記テスト画像に関する目標のトナー濃度を比較するステップとを含む前記方法。
（１４）前記テスト画像は前記光導電体上の少なくとも１つのステップ領域に対応する少なくとも１つのステップを有するステップタブレットであり、前記少なくとも１つの場所は前記少なくとも１つのステップ領域と同じである（１３）に記載の画像形成デバイスの画質をオンラインで評価する方法。
（１５）画像形成デバイスの画質をオンラインで評価する（１４）に記載の方法であって、ステップ（ａ）はさらに、前記少なくとも１つのステップ領域の各々に関して少なくとも１つの光導電体濃度を測定することを含み、ステップ（ｅ）はさらに、前記少なくとも１つのステップ領域の各々に関して光導電体とトナーを組み合わせた少なくとも１つの濃度を測定することを含み、ステップ（ｆ）はさらに、前記少なくとも１つのステップ領域の各々に関して少なくとも１つの測定されたトナー濃度を決定することを含み、ステップ（ｇ）はさらに、前記少なくとも１つのステップ領域の各々に関して測定されたトナー濃度と、対応する、前記ステップタブレットの少なくとも１つのステップの各々に関する目標のトナー濃度を比較することを含む請求項１４に記載の画像形成デバイスの画質をオンラインで評価する方法。
（１６）前記画像形成デバイスの画質をオンラインで評価する（１５）に記載の方法であって、ステップ（ａ）はさらに、前記少なくとも１つの光導電体濃度を多数測定することを含み、ステップ（ｅ）はさらに、前記光導電体とトナーを組み合わせた少なくとも１つの濃度を多数測定することを含み、ステップ（ｆ）はさらに、対応する、前記少なくとも１つの光導電体濃度の多数の測定と、前記光導電体とトナーを組み合わせた少なくとも１つの濃度の多数の測定に対して少なくとも１つの測定されたトナー濃度を決定することと、少なくとも１つのステップ領域の各々に関して前記少なくとも１つのトナー濃度の平均を求めて、該少なくとも１つのステップ領域の各々に関する測定されたトナー濃度の平均を得ることとを含み、ステップ（ｇ）はさらに、前記少なくとも１つのステップ領域の各々に関する測定されたトナー濃度の平均と、対応する、前記ステップタブレットの少なくとも１つのステップの各々に関する、目標のトナー濃度を比較することを含む（１５）に記載の画像形成デバイスの画質をオンラインで評価する方法。
（１７）前記多数の測定の各々は５回の測定に等しい（１６）に記載の画像形成デバイスの画質をオンラインで評価する方法。
（１８）前記濃度測定デバイスは濃度に対応する電圧の示度を提供する濃度計である（１３）に記載の画像形成デバイスの画質をオンラインで評価する方法。
（１９）ステップ（ｇ）はさらに、前記測定されたトナー濃度と前記画像形成デバイスの出力インタフェース上の目標のトナー濃度の比較を提供することを含む（１３）に記載の画像形成デバイスの画質をオンラインで評価する方法。
（２０）前記光導電体は少なくとも１つの画像フレームを有し、ステップ（ａ）から（ｆ）は前記少なくとも１つの画像フレームの各々について実行され、ステップ（ｇ）はさらに、前記少なくとも１つの画像フレームの少なくとも１つの場所に関する少なくとも１つの測定されたトナー濃度の平均を求めることを含む（１３）に記載の画像形成デバイスの画質をオンラインで評価する方法。